(57)【特許請求の範囲】
【請求項１】
先軸筒と後軸筒とを相対的に回動させたときのカム機構の作用により芯が当該先軸筒の開口部から出没する芯出し機構において、
前記先軸筒，前記後軸筒および前記芯を一体化して関連付けるための中間筒状部を備え、
前記カム機構は、その構成要素であるカム部およびカムフォロワ部が前記中間筒状部に統合して、または当該構成要素が前記先軸筒および前記後軸筒のいずれかと前記中間筒状部とに別々に、設けられ、
前記先軸筒と前記後軸筒との相対的な回動力を前記中間筒状部に伝える伝達部を当該軸筒の一方に形成し、
前記中間筒状部に、前記伝達部との係合作用に基づいてともに回動し、かつ、前記先軸筒と前記後軸筒との相対的な前後動を許容する筒状体を設けた、
ことを特徴とする芯出し機構。
【請求項２】
前記伝達部として、前記一方の軸筒の軸方向に延びるレール状部を用い、
前記筒状体として、前記レール状部の前後動をガイドするスリット状部を軸方向に形成したものを用いる、
ことを特徴とする請求項１記載の芯出し機構。
【発明の詳細な説明】
【０００１】
【発明の属する技術分野】
本発明は、筆記具, 化粧具やペンライトなど（以下「筆記具など」という。）を対象とした芯出し機構に関し、特に先軸筒と後軸筒とを相対的に回動させたときのカム作用により芯が当該先軸筒の開口部から出没する芯出し機構において、先軸筒と後軸筒との軸方向の全長を任意の回動状態で変更できるようにしたものである。
【０００２】
なお、本明細書においては、筆記具などを構成する軸筒の、芯が出没する側を「前または先」と記し、これと反対の操作部側を「後」と記す。
【０００３】
回動操作式の芯出し機構を備えた筆記具などの使い勝手を考える場合、その全長を利用状態に応じて変更できる、例えば収納時と使用時とで変更できることが望ましく、本発明はこのような要請に応えるものである。
【０００４】
【従来の技術】
従来の、回動操作式の芯出し機構を備えた筆記具などでは、当然のことながらその先軸筒と後軸筒との間の相対的な回動操作が前提であり、当該軸をその軸方向に積極的に移動させるようにはなっていない。
【０００５】
【発明が解決しようとする課題】
そのため、使用後の筆記具などをポケットやバッグなどにしまう場合にかさばりがちであり、また、個々の使用者がその長さを調整した上で筆記することなどもできないという問題点があった。
【０００６】
そこで、本発明では、回動操作式の芯出し機構の先軸筒と後軸筒とを関連付ける中間筒状部を設け、操作時の回動力をこの中間筒状部に伝えるとともに、一方の軸筒をこの中間筒状部に対して前後動可能にして、回動操作式の芯出し機構の利便性を良くすることを目的とする。
【０００７】
【課題を解決するための手段】
本発明はこの課題を次のようにして解決する。
（１）先軸筒と後軸筒とを相対的に回動させたときのカム機構の作用により芯が当該先軸筒の開口部から出没する芯出し機構において、前記先軸筒，前記後軸筒および前記芯を一体化して関連付けるための中間筒状部を備え、前記カム機構は、その構成要素であるカム部およびカムフォロワ部が前記中間筒状部に統合して、または当該構成要素が前記先軸筒および前記後軸筒のいずれかと前記中間筒状部とに別々に、設けられ、前記先軸筒と前記後軸筒との相対的な回動力を前記中間筒状部に伝える伝達部を当該軸筒の一方に形成し、前記中間筒状部に、前記伝達部との係合作用に基づいてともに回動し、かつ、前記先軸筒と前記後軸筒との相対的な前後動を許容する筒状体を設ける。
（２）前記伝達部として、前記一方の軸筒の軸方向に延びるレール状部を用い、前記筒状体として、前記レール状部の前後動をガイドするスリット状部を軸方向に形成したものを用いる。
【０００８】
本発明によれば、上記（１）のように、先軸筒および後軸筒の一方といわば一体となって回動し、かつ当該軸筒を相対的に前後動させるための筒状体からなる中間筒状部を新たに設けて、当該軸筒の全長を変更可能にすることにより、回動操作式の芯出し機構を用いた筆記具などの利便性の向上を図っている。
【０００９】
また、上記（２）のように、一方の軸筒側にレール状部を形成して、筒状体にはこれをガイドするスリット状部を軸方向に形成することにより、芯出し機構の回動操作、および先軸筒および後軸筒の相対的な前後方向への移動操作の確実化・円滑化を図っている。
【００１０】
【発明の実施の形態】
図１乃至図５を参照して本発明の実施の形態を説明する。
本発明は、上述のように、筆記具, 化粧具やペンライトなどの芯出し機構を対象としているが、以下の記載では説明の便宜上、筆記具を前提とする。
【００１１】
各図において、
図１は筆記具の芯を軸筒内に没入した静止状態の全体構成（断面）を示し、
図２は先軸筒，中間筒状部および後軸筒の各構成要素の関連性を示し、
図３は中間筒状部のカム機構などであり、 (a)は図１の静止状態に対応し、 (b)は図４の作動状態に対応し、 (c)は (a)のＡ−Ａ′線の断面を示し、
図４は筆記具の芯を軸筒から突出させた作動状態を示し、
図５は筆記具の全長を短くした状態を示している。
【００１２】
図示の筆記具は、概略、
・レフィール（芯）１，レフィールケース１ａ，当該レフィールケースの後端側周面に形成した螺子部１ｂ，当該レフィールケースの尾栓１ｃ
・レフィール１が出没する口金２
・口金２と螺子結合した先軸筒３
・先軸筒３に圧入した中間筒状部４
・先軸筒３に対する相対的な回動および前後動のそれぞれが可能なかたちで中間筒状部４と結合した後軸筒５，当該後軸筒の内周面の軸方向に形成したレール状部５ａ
・後軸筒５の先端側開口部に圧入した中間リング６, 当該中間リングの後端面６ａ
・後軸筒５の後端側開口部に圧入した筒状のスペーサ７, 当該スペーサの後端面７ａ
・スペーサ７の中に圧入した頭冠８
・後軸筒５およびスペーサ７と頭冠８との間に挟みこんだクリップ９
などの各部材からなっている。
【００１３】
そして、中間筒状部４の構成要素としては、
・先軸筒３の内周面に圧入した筒状の繰出しカム４ａ
・繰出しカム４ａの内周面に形成したカム溝４ｂ
・カム溝４ｂの先端側安定部４ｃ
・ロールカシメにより、回動可能な状態で繰出しカム４ａの後方側の外周面に取り付けた中パイプ４ｄ
・中パイプ４ｄの後端側内周面に形成した内側波状部４ｅ
・中パイプ４ｄの外周面に接着した固定パイプ４ｆ
・固定パイプ４ｆに形成したポンチ穴４ｇ
・ポンチ穴４ｇへの落とし込みにより固定パイプ４ｆと一体化したＣ型パイプ４ｈ（筒状体に相当）
・Ｃ型パイプ４ｈの前端面４ｉ
・Ｃ型パイプ４ｈの後端面４ｊ
・Ｃ型パイプ４ｈに形成した落とし込み用の突部４ｋ,
・後軸筒５のレール状部５ａを案内するため、Ｃ型パイプ４ｈの軸方向に形成したスリット４ｍ
・中パイプ４ｄの内側波状部４ｅと回動方向に係合し、かつ当該波状部の軸方向およびカム溝４ｂに案内されながら前後動する筒状の摺動体４ｎ
・摺動体４ｎの外周面に、中パイプ４ｄの内側波状部４ｅと対応するかたちで形成した外側波状部４ｐ
・摺動体４ｎの先端側に形成した突状のカムフォロワ部４ｑ
・摺動体４ｎの後端側内周面に形成した螺子部４ｒ
などがある。
【００１４】
中間筒状部４の各構成要素の中で先軸筒３に固定されるのは繰出しカム４ａのみである。
【００１５】
その他の各部材、例えば当該繰出しカムに対して回動可能な中パイプ４ｄや、その内側の摺動体４ｎおよびその外側の固定パイプ４ｆ, Ｃ型パイプ４ｈなどの各部材は、後軸筒５とともに回動する。
【００１６】
後軸筒５とともにＣ型パイプ４ｈが回動するのは、後軸筒５のレール状部５ａとＣ型パイプ４ｈのスリット４ｍとが回動方向に係合するからであり、中パイプ４ｄとともに摺動体４ｎが回動するのは、中パイプ４ｄの内側波状部４ｅと摺動体４ｎの外側波状部４ｐとが回動方向に係合するからである。
【００１７】
摺動体４ｎは、回動にともない、そのカムフォロワ部４ｑが繰出しカム４ａのカム溝４ｂに倣うかたちで前後動する。この前後動が可能となるのは、摺動体４ｎと中パイプ４ｄとはそれぞれの波状部により回動方向のみに係合しているからである。
【００１８】
また、レール状部５ａに対するスリット４ｍの前後方向への案内作用により、後軸筒５は、Ｃ型パイプ４ｈおよび固定パイプ４ｆ, 中パイプ４ｄのパイプ群に対して前後動する。なお、このパイプ群は、繰出しカム４ａおよびこれと一体の先軸筒３に対して回動するだけであり、前後動することはない。
【００１９】
図１の静止状態では摺動体４ｎのカムフォロワ部４ｑは繰出しカム４ａのカム溝４ｂの後側端部に保持されている。このとき、摺動体４ｎ（螺子部４ｒ）と螺子部１ｂで結合しているレフィールケース１ａも後退し、その中のレフィール１は口金２の中に入り込んでいる。
【００２０】
図４の作動状態にするには、例えば図１の静止状態の筆記具の後軸筒５を先軸筒３に対して時計方向に回動すればよい。
【００２１】
この回動操作にともない、上述のように、後軸筒５のレール状部５ａとＣ型パイプ４ｈのスリット４ｍとの係合作用によって、Ｃ型パイプ４ｈが回動する。
【００２２】
さらには、Ｃ型パイプ４ｈと一体の固定パイプ４ｆおよび中パイプ４ｄが繰出しカム４ａに対して回動する。また、摺動体４ｎが、外側波状部４ｐおよび内側波状部４ｅの係合作用によって中パイプ４ｄとともに回動しながら、自らのカムフォロワ部４ｑと繰出しカム４ａのカム溝４ｂとのカム作用により前進する。
【００２３】
このとき、摺動体４ｎと螺合しているレフィールケース１ａも前進し、レフィール１は口金２から突出して図示の作動状態になる。
【００２４】
図４の作動状態では、摺動体４ｎのカムフォロワ部４ｑはカム溝４ｂの先端側安定部４ｃに確実に保持されるので、使用時の筆圧などでカムフォロワ部４ｑがカム溝４ｂを少しでも元に戻る、すなわちレフィール１が後退するようなことはない。なお、図１の静止状態に戻すには、後軸筒５を先軸筒３に対して反時計方向に回動すればよい。
【００２５】
図５のように筆記具の全長を短く（変更する）には、後軸筒５を先軸筒３に対して軸方向にスライドさせればよい。
【００２６】
後軸筒５とこれを受けるＣ型パイプ４ｈとは、後軸筒５のレール状部５ａとＣ型パイプ４ｈのスリット４ｍとでリンクしているため、それぞれの相対的な前後動は自由に行なえる。
【００２７】
Ｃ型パイプ４ｈに対する後軸筒５のスライド可能な範囲は、
・後軸筒５と一体の中間リング６の後端面６ａがＣ型パイプ４ｈの前端面４ｉに当接する位置（筆記具の最長状態）と、
・後軸筒５と一体のスペーサ７の後端面７ａがＣ型パイプ４ｈの後端面４ｊに当接する位置（筆記具の最短状態）と、
の間である。
【００２８】
上述のように、Ｃ型パイプ４ｈおよび固定パイプ４ｆ, 中パイプ４ｄのパイプ群が、先軸筒３およびこれと一体の繰出しカム４ａに対して前後動することはない。
【００２９】
レフィール１を点検・交換する場合は、
・先ず、先軸筒３と螺子結合している口金２を取り外し、
・次に、先軸筒３の中のレフィールケース１ａに軽く嵌合しているレフィール１を当該ケースから引き出せばよい。
【００３０】
なお、カム溝４ｂとカムフォロワ部４ｑとの作用は相対的なものであり、
・カム溝４ｂを先軸筒３に形成したり、
・カム溝４ｂを後軸筒５に形成して、カムフォロワ部４ｑ（摺動体４ｎ）を先軸筒側に形成する、
ようにしてもよい。
【００３１】
また、Ｃ型パイプ４ｈのスリット４ｍと後軸筒５のレール状部５ａとの係合, 案内作用に関しても、
・Ｃ型パイプ４ｈの外周面に、スリット４ｍに代えて、レール状部５ａに対応の溝状の案内部を形成したり、
・Ｃ型パイプ４ｈの外周面にレール状部を形成して、これに対応の案内部を後軸筒５に形成する、
ようにしてもよい。
【００３２】
【発明の効果】
本発明は、このように、先軸筒および後軸筒の一方といわば一体となって回動し、かつ当該軸筒を相対的に前後動させるための筒状体からなる中間筒状部を新たに設け、先軸筒および後軸筒の全長を変更可能にしているので、回動操作式の芯出し機構を用いた筆記具などの利便性の向上を図ることができる。
【００３３】
また、一方の軸筒側にレール状部を形成し、筒状体にはこれをガイドするスリット状部を軸方向に形成しているので、芯出し機構の回動操作、および先軸筒および後軸筒の相対的な前後方向への移動操作の確実化・円滑化を図ることができる。
【図面の簡単な説明】
【図１】本発明の、筆記具の芯を軸筒内に没入した静止状態の全体構成（断面）を示す説明図である。
【図２】本発明の、先軸筒，中間筒状部および後軸筒の各構成要素の関連状態を示す説明図である。
【図３】本発明の、中間筒状部のカム機構などを示す説明図であり、 (a)は図１の静止状態に対応し、 (b)は図４の作動状態に対応し、 (c)は (a)のＡ−Ａ′線の断面を示している。
【図４】本発明の、筆記具の芯を軸筒から突出させた作動状態を示す説明図である。
【図５】本発明の、筆記具の全長を短くした状態を示す説明図である。
【符号の説明】
１：レフィール（芯）
１ａ：レフィールケース
１ｂ：螺子部
１ｃ：尾栓
２：口金
３：先軸筒
４：中間筒状部
４ａ：先軸筒３の内周面に圧入した筒状の繰出しカム
４ｂ：繰出しカム４ａの内周面に形成したカム溝
４ｃ：カム溝４ｂの先端側安定部
４ｄ：ロールカシメにより繰出しカム４ａに取り付けた中パイプ
４ｅ：中パイプ４ｄの後端側内周面に形成した内側波状部
４ｆ：中パイプ４ｄの外周面に接着した固定パイプ
４ｇ：固定パイプ４ｆに形成したポンチ穴
４ｈ：固定パイプ４ｆと一体化したＣ型パイプ
４ｉ：Ｃ型パイプ４ｈの前端面
４ｊ：Ｃ型パイプ４ｈの後端面
４ｋ：Ｃ型パイプ４ｈに形成した落とし込み用の突部
４ｍ：Ｃ型パイプ４ｈの軸方向に形成したスリット
４ｎ：回動し、かつ前後動する摺動体
４ｐ：摺動体４ｎの外周面に形成した外側波状部
４ｑ：摺動体４ｎの先端側に形成したカムフォロワ部
４ｒ：摺動体４ｎの後端側内周面に形成した螺子部
５：後軸筒
５ａ：レール状部
６：中間リング
６ａ：後端面
７：スペーサ
７ａ：後端面
８：頭冠
９：クリップ
【図１】
0003779120.tif 000002
【図２】
0003779120.tif 000003
【図３】
0003779120.tif 000004
【図４】
0003779120.tif 000005
【図５】
0003779120.tif 000006